(57)【要約】【課題】時間の経過に対して表示画面におけるホワイトバランスが崩れるのを抑えることのできる液晶装置を提供することを課題とする。【解決手段】液晶装置は、照明装置と、液晶表示パネルより構成される。照明装置は、夫々が異なる色光を出射し、時間の経過に対して各色光の発光強度が低下する複数の光源を有する。液晶表示パネルは、照明装置から出射された光を透過する透過領域をサブ画素内に有している。各色光を発光する光源の電流値は、発光強度の低下する速度が速い光ほど小さく設定され、発光強度の低下する速度が遅い光ほど大きく設定され、各色に対応したサブ画素の透過領域の面積は、発光強度の低下する速度が速い光の色のサブ画素ほど大きく設定され、発光強度の低下する速度が遅い光の色のサブ画素ほど小さく設定されている。これにより表示画面におけるホワイトバランスが崩れるのを抑えることができる。【選択図】図５
2007279176.tif 000002
【特許請求の範囲】
【請求項１】
夫々が異なる色光を出射し、時間の経過に対して各色光の発光強度が低下する複数の光源を有する照明装置と、
前記各色に対応したサブ画素を有し、前記照明装置から出射された光を透過する透過領域を前記サブ画素内に有した液晶表示パネルと、を備え、
前記各色光を発光する前記光源の電流値は、前記発光強度の低下する速度が速い光ほど小さく設定され、前記発光強度の低下する速度が遅い光ほど大きく設定され、
前記各色に対応したサブ画素の前記透過領域の面積は、前記発光強度の低下する速度が速い光の色のサブ画素ほど大きく設定され、前記発光強度の低下する速度が遅い光の色のサブ画素ほど小さく設定されていることを特徴とする液晶装置。
【請求項２】
前記複数の光源は、ＲＧＢの各色光を出射する光源であり、前記ＲＧＢの各色光の発光強度は、Ｂの光が最も小さく設定され、Ｒの光が最も大きく設定され、
前記各色に対応したサブ画素の前記透過領域の面積は、前記Ｂのサブ画素が最も大きく設定され、前記Ｒのサブ画素が最も小さく設定されることを特徴とする請求項１に記載の液晶装置。
【請求項３】
請求項１又は請求項２に記載の液晶装置を表示部に備えることを特徴とする電子機器。
【発明の詳細な説明】
【技術分野】
【０００１】
本発明は、各種情報の表示に用いるのに好適な液晶装置に関する。
【背景技術】
【０００２】
液晶装置においては、透過表示を行うために液晶表示パネルの背面側にバックライトとして照明装置が設けられる。ＲＧＢの各色のＬＥＤ（Light Emitting Diode）を光源に有する照明装置は、それぞれのＬＥＤから出射された光を混光することにより白色光を生成し、生成された白色光を液晶表示パネルの背面側に照射する。液晶装置は、バックライトより照射された白色光を、液晶表示パネルの基板上に積層されている赤（Ｒ）、緑（Ｇ）、青（Ｂ）のそれぞれの波長の光を透過するカラーフィルタに透過させることにより、カラー表示を実現している。
【０００３】
しかしながら、ＬＥＤから出射される光は、時間の経過に対して光度が低下するという特性を有する。また、時間の経過に対する光の光度の低下の仕方は、ＬＥＤから出射される光の色によって異なる。そのため、時間が経過するに従い、表示画面におけるホワイトバランスが崩れるという問題がある。なお、特許文献１に記載の液晶装置では、ＲＧＢの各色のＬＥＤに供給する合計の平均電流を一定とすることにより、各表示色での輝度を一定としている。
【０００４】
【特許文献１】特開２０００−２１４８２５号公報
【発明の開示】
【発明が解決しようとする課題】
【０００５】
本発明は上記の点に鑑みてなされたものであり、時間の経過に対して表示画面におけるホワイトバランスが崩れるのを抑えることのできる液晶装置を提供することを課題とする。
【課題を解決するための手段】
【０００６】
本発明の１つの観点では、液晶装置は、夫々が異なる色光を出射し、時間の経過に対して各色光の発光強度が低下する複数の光源を有する照明装置と、前記各色に対応したサブ画素を有し、前記照明装置から出射された光を透過する透過領域を前記サブ画素内に有した液晶表示パネルと、を備え、前記各色光を発光する前記光源の電流値は、前記発光強度の低下する速度が速い光ほど小さく設定され、前記発光強度の低下する速度が遅い光ほど大きく設定され、前記各色に対応したサブ画素の前記透過領域の面積は、前記発光強度の低下する速度が速い光の色のサブ画素ほど大きく設定され、前記発光強度の低下する速度が遅い光の色のサブ画素ほど小さく設定されている。
【０００７】
上記の液晶装置は、照明装置と、液晶表示パネルより構成される。照明装置は、夫々が異なる色光を出射し、時間の経過に対して各色光の発光強度が低下する複数の光源を有する。光源としては、例えばＬＥＤ（Light Emitting Diode）が用いられる。液晶表示パネルは、前記各色に対応したサブ画素を有し、前記照明装置から出射された光を透過する透過領域を前記サブ画素内に有している。前記各色光を発光する前記光源の電流値は、前記発光強度の低下する速度が速い光ほど小さく設定され、前記発光強度の低下する速度が遅い光ほど大きく設定され、前記各色に対応したサブ画素の前記透過領域の面積は、前記発光強度の低下する速度が速い光の色のサブ画素ほど大きく設定され、前記発光強度の低下する速度が遅い光の色のサブ画素ほど小さく設定されている。このようにすることで、液晶装置は、時間の経過に対し、表示画面におけるホワイトバランスが崩れるのを抑えることができる。
【０００８】
上記の液晶装置の好適な一態様は、前記複数の光源は、ＲＧＢの各色光を出射する光源であり、前記ＲＧＢの各色光の発光強度は、Ｂの光が最も小さく設定され、Ｒの光が最も大きく設定され、前記各色に対応したサブ画素の前記透過領域の面積は、前記Ｂのサブ画素が最も大きく設定され、前記Ｒのサブ画素が最も小さく設定される。
【０００９】
本発明の更なる他の観点では、上記の液晶装置を表示部に備えることを特徴とする電子機器を構成することができる。
【発明を実施するための最良の形態】
【００１０】
以下、図面を参照して本発明を実施するための最良の形態について説明する。
【００１１】
[液晶装置の構成]
まず、図１及び図２を参照して、本実施形態に係る液晶装置１００の構成等について説明する。
【００１２】
図１は、本実施形態に係る液晶装置１００の概略構成を模式的に示す平面図である。図１では、紙面手前側（観察側）にカラーフィルタ基板９２が、また、紙面奥側に素子基板９１が夫々配置されている。なお、図１では、紙面縦方向（列方向）をＹ方向と、また、紙面横方向（行方向）をＸ方向と規定する。また、図１において、Ｒ（赤）、Ｇ（緑）、Ｂ（青）に対応する各領域はＲのサブ画素ＳＧ（Ｒ）、Ｇのサブ画素ＳＧ（Ｇ）、Ｂのサブ画素ＳＧ（Ｂ）の夫々を示している。ＲＧＢに対応する１行３列のサブ画素ＳＧ（Ｒ）、ＳＧ（Ｇ）、ＳＧ（Ｂ）は、１つの表示画素ＡＧを示している。後に詳しく述べるが、各色のサブ画素の面積は、Ｂのサブ画素ＳＧ（Ｂ）が最も大きく、Ｒのサブ画素ＳＧ（Ｒ）が最も小さくなっている。
【００１３】
図２は、液晶装置１００における切断線Ａ−Ａ´に沿った１つの表示画素ＡＧの拡大断面図である。図２に示すように、液晶装置１００は、照明装置１０と、液晶表示パネル３０より構成される。液晶表示パネル３０は、素子基板９１と、その素子基板９１に対向して配置されるカラーフィルタ基板９２とが枠状のシール材５を介して貼り合わされ、そのシール材５の内側に液晶が封入されて液晶層４が形成されてなる。液晶層４に用いられる液晶は、例えばＴＮ（Twisted Nematic）型液晶である。液晶表示パネル３０の素子基板９１の外面上には、照明装置１０が備えられている。
【００１４】
本実施形態に係る液晶装置１００は、完全透過型の液晶装置であり、Ｒ、Ｇ、Ｂの３色を用いて構成されるカラー表示用の液晶装置である。また、液晶装置１００は、スイッチング素子の一例としてα−Ｓｉ型ＴＦＴ（Thin Film Transistor）素子を用いたアクティブマトリクス駆動方式の液晶装置である。
【００１５】
素子基板９１の平面構成について説明する。素子基板９１の内面上には、主として、複数のソース線３２、複数のゲート線３３、複数のα−Ｓｉ型ＴＦＴ素子３７、複数の画素電極３４、ドライバＩＣ４０、外部接続用配線３５及びＦＰＣ（Flexible Printed Circuit）４１などが形成若しくは実装されている。
【００１６】
図１に示すように、素子基板９１は、カラーフィルタ基板９２の一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各ソース線３２は、Ｙ方向に延在するように且つＸ方向に適宜の間隔をおいて形成されており、各ソース線３２の一端側は、ドライバＩＣ４０の出力側の端子（図示略）に電気的に接続されている。
【００１７】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各ソース線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各ソース線３２と各ゲート線３３の第２配線３３ｂの交差に対応する位置にはα−ＴＦＴ素子３７が設けられており、各α−ＴＦＴ素子３７は各ソース線３２、各ゲート線３３及び各画素電極３４等に電気的に接続されている。各α−ＴＦＴ素子３７、各画素電極３４は、ガラスなどの基板１上の各サブ画素ＳＧに対応する位置に設けられている。各画素電極３４は、例えばＩＴＯ（Indium-Tin Oxide）などの透明導電材料により形成されている。
【００１８】
１つの表示画素ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。なお、有効表示領域Ｖの外側の領域は表示に寄与しない額縁領域３８となっている。また、各ソース線３２、各ゲート線３３、各α−ＴＦＴ素子３７、及び各画素電極３４等の内面上には、図示しない配向膜が形成されている。
【００１９】
次に、カラーフィルタ基板９２の平面構成について説明する。図２に示すように、カラーフィルタ基板９２は、ガラスなどの基板２上に、遮光層（一般に「ブラックマトリクス」と呼ばれ、以下では、単に「ＢＭ」と略記する）、ＲＧＢの３色の着色層６Ｒ、６Ｇ、６Ｂ及び共通電極８などを有する。ＢＭは、各色のサブ画素ＳＧを区画する位置に形成されている。なお、以下の説明もしくは図面において、ＲＧＢの色を特定することなく構成要素を示す場合には、単に「着色層６」のように記し、ＲＧＢの色を区別して構成要素を示す場合には、例えば「着色層６Ｒ」のように記すこととする。ＲＧＢの各色のサブ画素ＳＧは、着色層６Ｒ、６Ｇ、６Ｂの夫々を有している。この着色層６Ｒ、６Ｇ、６Ｂが、夫々の色のカラーフィルタとして機能する。共通電極８は、画素電極と同様にＩＴＯなどの透明導電材料からなり、カラーフィルタ基板９２の略一面に亘って形成されている。共通電極８は、シール材５の隅の領域Ｅ１において配線３６の一端側と電気的に接続されていると共に、当該配線３６の他端側は、ドライバＩＣ４０のＣＯＭに対応する出力端子と電気的に接続されている。
【００２０】
次に、照明装置１０について説明する。照明装置１０は、導光板１１と光源部１２より構成される。光源部１２は、導光板１１の端面１１ｃに対し光Ｌを出射する。光源部１２は、後に詳しく述べるが、光源として複数のＬＥＤ（Light Emitting Diode）１３を有する。ＬＥＤ１３は、ＲＧＢの３色のＬＥＤ１３Ｒ、１３Ｇ、１３Ｂより構成される。ＬＥＤ１３に供給する電流量を大きくすれば、ＬＥＤ１３より出射される光の発光強度は大きくなり、ＬＥＤ１３に供給する電流量を小さくすれば、ＬＥＤ１３より出射される光の発光強度は小さくなる。なお、照明装置１０におけるＲＧＢ光源としては、以下のものが好ましい。
・Ｂは発光する光の波長のピークが４３５ｎｍ−４８５ｎｍにあるもの
・Ｇは発光する光の波長のピークが５２０ｎｍ−５４５ｎｍにあるもの
・Ｒは発光する光の波長のピークが６１０ｎｍ−６５０ｎｍにあるもの
液晶装置１００において透過表示を行う場合について述べる。図２に示すように、光源部１２より出射した光Ｌは、導光板１１の端面（以下、「入光端面」と称す）１１ｃより導光板１１内へ入り、導光板１１の出射面１１ａ、反射面１１ｂで反射を繰り返すことにより方向を変える。光Ｌは、導光板１１の出射面１１ａと光Ｌのなす角が臨界角を超えると、導光板１１の出射面１１ａより液晶表示パネル３０へ向けて出射する。
【００２１】
導光板１１の出射面１１ａより液晶表示パネル３０へ向けて出射した光Ｌは、液晶表示パネル３０を透過する。液晶装置１００は、光Ｌが液晶表示パネル３０を透過することによって照明される。これにより、液晶装置１００は、文字、数字、図形等の画像を表示することができ、観測者が画像を視認することができる。
【００２２】
液晶装置１００では、電子機器のメイン基板等と接続されたＦＰＣ４１側からの信号及び電力等に基づき、ドライバＩＣ４０によって、Ｇ１、Ｇ２、・・・、Ｇｍ−１、Ｇｍ（ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極３４に対し、表示内容に応じたソース信号を、それぞれ対応するＳ１、Ｓ２、・・・、Ｓｎ−１、Ｓｎ（ｎは自然数）のソース線３２及びα−ＴＦＴ素子３７を介して供給する。その結果、液晶層４の配向状態が制御され、液晶装置１００の表示状態が、非表示状態または中間表示状態に切り替えられることとなる。
【００２３】
なお、液晶表示パネル３０は、スイッチング素子として、α−ＴＦＴ素子３７を用いるとしているが、これに限られず、代わりにポリシリコンＴＦＴやＴＦＤ（Thin Film Diode）素子を用いるとすることもできる。
【００２４】
また、液晶表示パネル３０としては、上述したようなＴＮ液晶からなる液晶層を有する液晶表示パネルには限られず、代わりに、ＶＡ（Vertical Alignment）方式、ＩＰＳ（In Plane Switching）方式、ＦＦＳ（Fringe Field Structure）方式などの液晶表示パネルを用いるとすることもできる。
【００２５】
（ＲＧＢのＬＥＤにおける白色調整）
先にも述べたように、液晶装置１００において透過表示を行う場合、照明装置１０から照射された白色光をカラーフィルタに透過させることによりカラー表示を行う。
【００２６】
図３（ａ）は、ＲＧＢの各色のＬＥＤを有する一般的な照明装置の光のスペクトル分布を示している。図３（ａ）において、横軸は光の波長[ｎｍ]を、縦軸は相対発光強度[％]を、夫々示す。ＲＧＢの各色の光は、各色のＬＥＤからそれぞれ発光される。従って、図３（ａ）のグラフが示すように、ＲＧＢの各色のＬＥＤを有する照明装置の光は、各色ごとにピークとなる波長を有している。このようなバックライトを有する液晶装置では、ＲＧＢの各色のＬＥＤより出射した光を混光することにより、白色光を生成する。
【００２７】
図３（ｂ）は、ＲＧＢのそれぞれのカラーフィルタの透過率を示している。図３（ｂ）において、横軸は光の波長[ｎｍ]を示し、縦軸は透過率[％]を示している。図３（ｂ）が示すように、ＲＧＢのそれぞれのカラーフィルタの透過率は、それぞれＲＧＢの各色の波長の範囲で透過率が最も高くなる性質を有している。よって、液晶装置では、ＲＧＢの各色を表示する場合、各色の着色層が各色の波長の範囲にある光のみを透過することにより、カラー表示を行うことができる。
【００２８】
上記のような液晶装置では、時間の経過と共に、ＲＧＢの各色のＬＥＤの発光強度は低下し、その低下の速度は、色毎のＬＥＤによって異なる。そのため、液晶装置の表示画面におけるホワイトバランスは、時間の経過と共に崩れてしまう。
【００２９】
図４（ａ）、（ｂ）は、ＲＧＢの各色のＬＥＤの時間の経過に対する発光強度の変化を示す図であり、横軸は時間を、縦軸は相対発光強度を夫々示す。図４（ａ）におけるグラフ２０１Ｒａ、２０１Ｇａ、２０１Ｂａは、ＲＧＢの各色のＬＥＤの時間の経過に対する相対発光強度を夫々示す。グラフ２０１Ｒａ、２０１Ｇａ、２０１Ｂａより、時間の経過と共に、光の発光強度は、Ｂの色の光の発光強度が最も速く低下し、Ｒの色の光の発光強度が最も遅く低下することが分かる。Ｂの色の光の発光強度が最も速く低下する理由は、Ｂの色の光のエネルギーは他のＲ、Ｇの色の光のエネルギーと比較して最も大きいため、ＬＥＤ内部のＢの色の光を発光するチップの劣化する速度が他のＲ、Ｇの光を発光するチップの劣化する速度よりも速くなるためである。
【００３０】
図４（ｂ）におけるグラフ２０１Ｒｂ、２０１Ｇｂ、２０１Ｂｂは、ＲＧＢの各色のＬＥＤに供給する電流量を図４（ａ）においてＲＧＢの各色のＬＥＤに供給した電流量よりも一定の割合で増やした場合における、ＲＧＢの各色のＬＥＤの時間の経過に対する相対発光強度を夫々示す。図４（ａ）と図４（ｂ）を比較すると、例えば、グラフ２０１Ｂａとグラフ２０１Ｂｂを比較すると、ＲＧＢの各色のＬＥＤに流す電流量を増やした場合には、時間の経過に対する各色の光の発光強度の低下の速度は大きくなることが分かる。これは、電流量を増やすことで、光の発光強度が高くなるため、当該光のエネルギーも大きくなるからである。
【００３１】
本実施形態に係る液晶装置１００では、時間の経過に対し、発光強度の低下する速度が速い光の色の発光強度ほど小さく設定され、発光強度の低下する速度が遅い光の色の発光強度ほど大きく設定される。つまり、発光強度の低下する速度が速い光の色のＬＥＤ１３に供給する電流量ほど小さく設定され、発光強度の低下する速度が遅い光の色のＬＥＤ１３に供給する電流量ほど大きく設定される。具体的には、液晶装置１００では、ＬＥＤ１３Ｂの光の発光強度が最も小さく設定され、ＬＥＤ１３Ｒの光の発光強度が最も大きく設定される。即ち、ＬＥＤ１３Ｂに供給する電流量が最も小さく設定され、ＬＥＤ１３Ｒに供給する電流量が最も大きく設定される。図４より分かるように、Ｒ、Ｇの色の光の時間の経過に対する発光強度の低下に比較して、Ｂの色の光の時間の経過に対する発光強度の低下が著しいので、ＢのＬＥＤ１３に供給する電流量は、Ｒ、ＧのＬＥＤ１３に供給する電流量よりも特に小さく設定される。このようにすることで、時間の経過に対する、ＲＧＢの各色のＬＥＤ１３より出射した光の発光強度の低下する速度を、各色とも同じ速度に近づけることができる。これにより、ＲＧＢの各色のＬＥＤ１３より出射した光を混光した光は、時間の経過に対し、一定の色度を保つことができる。
【００３２】
上記のＲＧＢの各色のＬＥＤ１３より出射した光を混光した光は、時間の経過に対し、一定の色度を保つことができるものの、Ｒの色の成分の光が強く、Ｂの色の成分の光が弱い光となるため、白色光とはならなくなる。
【００３３】
そこで、本実施形態に係る液晶装置１００では、先に述べたように、各色のサブ画素ＳＧの面積は、Ｂのサブ画素ＳＧ（Ｂ）が最も大きく、Ｒのサブ画素ＳＧ（Ｒ）が最も小さく設定されている。各色のサブ画素では、スイッチング素子が設けられている部分では光を透過しないため、正確には、各色に対応したサブ画素における照明装置１０から出射された光が透過する透過領域の面積が、発光強度の低下する速度が速い光の色のサブ画素ほど大きく設定され、発光強度の低下する速度が遅い光の色のサブ画素ほど小さく設定される。従って、１つの表示画素ＡＧでは、Ｒのサブ画素ＳＧ（Ｒ）の透過領域の面積が最も小さくされ、Ｂのサブ画素ＳＧ（Ｂ）の透過領域の面積が最も大きく設定される。図５に１つの表示画素ＡＧの模式的な平面図を示す。図５では、各色のサブ画素における透過領域が破線で示されている。
【００３４】
このようにすることで、照明装置１０より出射された光は、液晶表示パネル３０を透過する際に、Ｒの色の光の透過量を最も少なくすると共に、Ｂの色の光の透過量を最も多くすることができる。従って、液晶装置１００は、Ｒの色の成分の光が強く、Ｂの色の成分の光が弱い光となっている照明装置１０より出射された光を、液晶表示パネル３０に透過することにより、白色光に近づけることができる。以上のようにすることで、液晶装置１００は、時間の経過に対して照明装置１０から出射される光の色度を一定に保つことができると共に、当該光を液晶表示パネル３０に透過することで、白色光に近づけることができる。つまり、液晶装置１００は、時間の経過に対し、表示画面におけるホワイトバランスが崩れるのを抑えることができる。
【００３５】
次に、各色のＬＥＤ１３に供給する電流量と各色のサブ画素の透過領域の面積の関係について具体的に述べる。図６は、本実施形態に係る液晶装置１００による色再現範囲を国際照明委員会（ＣＩＥ）の色度図上に示している。
【００３６】
色再現範囲４０１は、人間の目の波長感度特性による色再現範囲であり、人間が見分けることのできる色再現範囲を示している。色再現範囲４０２は、ＮＴＳＣ（National Television System Committee）方式の表示装置で再現できる色再現範囲を示している。
【００３７】
色再現範囲５０１は、各色のＬＥＤ１３に供給する電流量の割合をＲ：Ｇ：Ｂ＝２０：３．５：１に設定し、各色のサブ画素の透過領域の面積比をＲ：Ｇ：Ｂ＝１２：３０：１００に設定した場合の液晶装置１００による色再現範囲を示している。色再現範囲５０１は、点５０１Ｒで示すＲの色度座標（Ｘ、Ｙ）＝（０．６６４、０．３０７）、点５０１Ｇで示すＧの色度座標（Ｘ、Ｙ）＝（０．２１７、０．６５０）、点５０１Ｂで示すＢの色度座標（Ｘ、Ｙ）＝（０．１３５、０．０９７）で規定される三角形で囲まれる範囲であり、ＮＴＳＣ比は８６．９８[％]となっている。このときの白色点の色度座標は、点Ｗａで示す色度座標（Ｘ、Ｙ）＝（０．３１、０．３３）となる。
【００３８】
点Ｗａは、色温度が６５００[Ｋ]であることから、Ｄ６５とも呼ばれ、理想的な白色点である。即ち、液晶装置１００は、ＲＧＢの各色のＬＥＤ１３に供給する電流の割合を、Ｒ：Ｇ：Ｂ＝２０：３．５：１に設定し、各色のサブ画素の透過領域の面積比を、Ｒ：Ｇ：Ｂ＝１２：３０：１００に設定することで、時間の経過に対し、表示画面におけるホワイトバランスが崩れるのを抑えることができると共に、白色点を理想的な白色点にすることができる。つまり、各色のＬＥＤ１３に流す電流量に対応する発光輝度それぞれに、ＲＧＢの着色層６の分光を掛け合わせ、更に、ＲＧＢのサブ画素ＳＧにおける開口率を積和した白（Ｗ）の色度について、そのＸ座標が０．２８〜０．３４、そのＹ座標が０．２８〜０．３７の範囲に入るように設定されている。
【００３９】
[他の実施例]
上記の説明では、カラーフィルタとして機能する着色層の色（着色領域）として３色のＲＧＢを挙げて説明したが、本発明の適用はこれには限定されず、４色の着色層、即ち４色の着色領域により１表示画素を構成することもできる。この場合、照明装置における光源としては、液晶表示パネルのカラーフィルタの４色の着色層に対応する色の４色のＬＥＤを用いることが必要である。
【００４０】
具体的には、４色の着色領域は、波長に応じて色相が変化する可視光領域（３８０−７８０ｎｍ）のうち、青系の色相の着色領域（「第１着色領域」とも呼ぶ。）、赤系の色相の着色領域（「第２着色領域」とも呼ぶ。）と、青から黄までの色相の中で選択された２種の色相の着色領域（「第３着色領域」、「第４着色領域」とも呼ぶ。）からなる。ここで「系」との語を用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００４１】
具体的な色相の範囲は、
・青系の色相の着色領域は、青紫から青緑であり、より好ましくは藍から青である。
・赤系の色相の着色領域は、橙から赤である。
・青から黄までの色相で選択される一方の着色領域は、青から緑であり、より好ましくは青緑から緑である。
・青から黄までの色相で選択される他方の着色領域は、緑から橙であり、より好ましくは緑から黄である。もしくは緑から黄緑である。
【００４２】
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
【００４３】
これにより、従来のＲＧＢの着色領域よりも広範囲の色再現性を実現することができる。
【００４４】
また、上記では４色の着色領域による広範囲の色再現性を色相で述べたが、他の具体的な例として、着色領域を透過した光の波長で表現すると以下のようになる。
・青系の着色領域は、該着色領域を透過した光の波長のピークが４１５−５００ｎｍにある着色領域、好ましくは、４３５−４８５ｎｍにある着色領域である。
・赤系の着色領域は、該着色領域を透過した光の波長のピークが６００ｎｍ以上にある着色領域で、好ましくは、６０５ｎｍ以上にある着色領域である。
・青から黄までの色相で選択される一方の着色領域は、該着色領域を透過した光の波長のピークが４８５−５３５ｎｍにある着色領域で、好ましくは、４９５−５２０ｎｍにある着色領域である。
・青から黄までの色相で選択される他方の着色領域は、該着色領域を透過した光の波長のピークが５００−５９０ｎｍにある着色領域、好ましくは５１０−５８５ｎｍにある着色領域、もしくは５３０−５６５ｎｍにある着色領域である。
【００４５】
この波長は、透過表示の場合は、照明装置からの照明光がカラーフィルタを通して得られた数値である。反射表示の場合は、外光を反射して得られた数値である。
【００４６】
他の具体的な例として、４色の着色領域をｘ、ｙ色度図で表現すると以下のようになる。
・青系の着色領域は、ｘ≦0.151、ｙ≦0.200にある着色領域であり、好ましくは、0.134≦ｘ≦0.151、0.034≦ｙ≦0.200にある着色領域である。
・赤系の着色領域は、0.520≦ｘ、ｙ≦0.360にある着色領域であり、好ましくは、0.550≦ｘ≦0.690、0.210≦ｙ≦0.360にある着色領域である。
・青から黄までの色相で選択される一方の着色領域は、ｘ≦0.200、0.210≦ｙにある着色領域であり、好ましくは、0.080≦ｘ≦0.200、0.210≦ｙ≦0.759にある着色領域である。
・青から黄までの色相で選択される他方の着色領域は、0.257≦ｘ、0.450≦ｙにある着色領域であり、好ましくは、0.257≦ｘ≦0.520、0.450≦ｙ≦0.720にある着色領域である。
【００４７】
このｘ、ｙ色度図は、透過表示の場合は、照明装置からの照明光がカラーフィルタを通して得られた数値である。反射表示の場合は、外光を反射して得られた数値である。
【００４８】
これら４色の着色領域は、サブ画素に透過領域と反射領域を備えた場合、透過領域及び反射領域も上述した範囲で適用することができるものである。
【００４９】
上記の４色の着色領域の構成の例としては、具体的には以下のものがあげられる。
・色相が、赤、青、緑、青緑の着色領域
・色相が、赤、青、緑、黄の着色領域
・色相が、赤、青、深緑、黄の着色領域
色相が、赤、青、エメラルドグリーン、黄の着色領域
色相が、赤、青、エメラルドグリーン、黄緑の着色領域
・色相が、赤、青、深緑、黄緑の着色領域
色相が、赤、青緑、深緑、黄緑の着色領域
[電子機器]
次に、本実施形態に係る液晶装置を電子機器の表示装置として用いる場合の実施形態について説明する。
【００５０】
まず、本発明に係る液晶装置１００を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ７１０は、キーボード７１１を備えた本体部７１２と、本発明に係る液晶装置１００を適用した表示部７１３とを備えている。
【００５１】
続いて、本発明に係る液晶装置１００を、携帯電話機の表示部に適用した例について説明する。図７（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１００を適用した表示部７２４を備える。
【００５２】
なお、本発明に係る液晶装置１００を適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５３】
【図１】本実施形態に係る液晶装置の平面図である。
【図２】本実施形態に係る液晶装置の断面図である。
【図３】カラーフィルタとＲＧＢのＬＥＤの特性を示す図である。
【図４】ＲＧＢの各色のＬＥＤの時間の経過に対する発光強度の変化を示す図である。
【図５】表示画素の構成を示す平面図である。
【図６】本実施形態に係る液晶装置の色再現範囲を示す色度図である。
【図７】本実施形態の液晶装置を適用した電子機器の例を示す図である。
【符号の説明】
【００５４】
１２  光源部、  １３  ＬＥＤ、  １０  照明装置、  ３０  液晶表示パネル、  １００  液晶装置
【図１】
2007279176.tif 000003
【図２】
2007279176.tif 000004
【図３】
2007279176.tif 000005
【図４】
2007279176.tif 000006
【図５】
2007279176.tif 000007
【図６】
2007279176.tif 000008
【図７】
2007279176.tif 000009